(57)【要約】  本発明は、口部を有する本体と、前記本体の内部に異種物質の貯蔵空間及び貯蔵空間の底部に形成された開閉孔を有する受容部をふくむ容器の口部に適用される異種物質貯蔵空間を有する受容装置を提供する。受容部は移動形作動部により気密にされ、そして蓋の開きにより移動形作動部を開閉孔から開放された時には、開いて異種物質が容器内の基本異種物質と混合される。移動形作動部は、開閉孔を塞がないようにして異なる成分を有効に混合する。
2009533131.tif 000002
【特許請求の範囲】
【請求項１】
口部を有する本体と；
前記本体の内部に異種物質の貯蔵空間および貯蔵空間の底部に形成された開閉孔を有する受容部をふくみ；
前記開閉孔は本体の口部を塞ぐ蓋に結合されて上下移動する第１作動部に結合された第２作動部によって気密にされており；そして
前記第２作動部は蓋が開いた後、再び閉じる時は、開閉孔を塞がないように構成されることを特徴とする、容器の口部に適用される異種物質貯蔵空間を有する受容装置。
【請求項２】
口部を有する本体と、前記本体の内部に異種物質の貯蔵空間および貯蔵空間の底部に形成された開閉孔を有する受容部をふくみ、前記開閉孔は作動部によって気密にされて、本体の口部から蓋が開くと作動部が上方に移動しながら開き、開閉孔を塞いでいる第２作動部が蓋に結合された第１作動部に連結されていることを特徴とする、容器の口部に適用される異種物質貯蔵空間を有する受容装置。
【請求項３】
前記第２作動部は開閉孔を開くために持ち上げられた後には開閉孔を塞がないように構成することを特徴とする、請求項１記載の受容装置。
【請求項４】
前記第２作動部は持ち上げられた後、口部の内壁部に折り入って結合されて初期位置に復帰できないように構成することを特徴とする、請求項３記載の受容装置。
【請求項５】
前記第２作動部は第１作動部の下方に結合され、第２作動部は開いた後には受容部の対応部に形成された弾力片によって開閉孔を塞がないように構成されたものを特徴とする、請求項１または請求項２記載の受容装置。
【請求項６】
口部を有する本体と；
前記本体の内部に異種物質の貯蔵空間および貯蔵空間の底部に形成された開閉孔を有する受容部をふくみ；
前記開閉孔は口部を塞ぐ蓋に結合されて上方に移動する作動部によって気密にされており；そして
前記第１作動部は蓋が開いた後、再び閉じる時は、開閉孔を塞がないように構成されることを特徴とする、容器の口部に適用される異種物質貯蔵空間を有する受容装置。
【請求項７】
口部を有する本体と；
前記本体の内部に異種物質の貯蔵空間および貯蔵空間の底部に形成された開閉孔を有する受容部をふくみ；
前記開閉孔は口部を塞ぐ蓋に結合されて下方に移動する作動部によって気密にされており；そして
前記作動部は蓋が開くと下方に降りて開閉孔が開くように構成することを特徴とする、容器の口部に適用される異種物質貯蔵空間を有する受容装置。
【請求項８】
前記作動部の下方への移動は、作動部とその対応される部位に形成されたねじ山やねじ溝により実現し、作動部の垂直移動は、口部の内壁部とその対応される作動部に形成された溝と突起により実現することを特徴とする、請求項７記載の受容装置。
【請求項９】
口部を有する本体と、前記本体の内部に異種物質の貯蔵空間および貯蔵空間の底部に形成された開閉孔を有する受容部をふくみ、前記開閉孔は上方に移動する作動部によって気密にされて、本体の口部から蓋が開くと作動部が上方に移動しながら開くことを特徴とする、容器の口部に適用される異種物質貯蔵空間を有する受容装置。
【請求項１０】
前記作動部の上方への移動は、作動部とその対応される部位に形成されたねじ山やねじ溝により実現し、作動部の垂直移動は、口部の内壁部とその対応される作動部に形成された溝と突起により実現することを特徴とする、請求項９記載の受容装置。
【請求項１１】
口部を有する本体と；
前記本体の内部に異種物質の貯蔵空間および貯蔵空間の底部に形成された開閉孔を有する受容部をふくみ；
前記開閉孔は口部を塞ぐ蓋に結合されて上方に移動する作動部によって気密にされており；そして
前記作動部は蓋が開く時、蓋と共に本体から分離されることを特徴とする、容器の口部に適用される異種物質貯蔵空間を有する受容装置。
【発明の詳細な説明】
【技術分野】
【０００１】
本発明は容器を密閉する受容装置に関するもので、より詳しくは、例えば容器に受容された水または飲み物のような物質のような基本物質と異なる、例えば濃縮液または顆粒のような異種物質を含む貯蔵空間を有する受容装置に関するものである。
【０００２】
このような受容装置は、医療、製薬、化粧品等の産業分野に多様に用いられることができる。
【背景技術】
【０００３】
一般に、容器内部の液体と、添加剤または 異種成分としての顆粒または濃縮液を混合させるためには、容器には異種物質を貯蔵する為の別途の空間が必要である。
【０００４】
容器内で二つ以上の物質を混合するための構造は米国特許第９３７０４９（１９０９年１０月１９日）号明細書を含んで５０００以上が提案されている。
【０００５】
しかしながら、上記特許に開示された容器は、生産ラインの非効率性、使用の便利性などの問題点が有って大衆化されることができない。
【０００６】
特に、容器の構造変更、または排出装置を開放する過度な力により引き起こされるエルボ現状の損傷の問題がなく、容器内で二つ以上の物質を混合するために容器および作動部をより容易に取り扱うことに対する別の必要が有る。
【０００７】
最近、ＰＣＴ／ＥＰ２００２／００４５２３（２００２年０１月１７日）、そして日本国特許出願公開２００１−００１８５４２８（２００１年０６月１９日）号公報は、他の構造を提示したが、商業的に成功しなかった。特に、日本特許出願に開示された構造は、開放部を形成する部位が容器内部に落下され、子供が飲み下す恐れがあるなどの問題点がある。
【０００８】
容器に異種物質を貯蔵する別の空間が備えた他の構造は、既存の容器首には適用できない問題点が内在されている。
【発明の開示】
【発明が解決しようとする課題】
【０００９】
詳述した従来技術の問題点で、本発明の目的は、口部により飲用性を向上させることができる受容装置を提供することにある。
【００１０】
本発明の他の目的は、蓋の開放と同時に、異種物質が容器に排出されて、異種物質が容器の基本物質と混合物されることができる受容装置を提供することにある。
【００１１】
本発明のまた他の目的は、蓋の開放と同時に、別途の貯蔵空間に入れた異種物質が容器に迅速に排出されて基本物質と混合されることができる受容装置を提供することにある。
【課題を解決するための手段】
【００１２】
前記目的を実現するために、本発明による受容装置は、容器の口部に結合された本体と、本体の首部に備えて異種物質を貯蔵する本体の内部の別途空間である受容部を含み、この受容部は選択的に開放されて異種物質を容器内の基本物質に排出して互いに混合する。
【００１３】
また、本発明による受容装置は、容器の首部に組み立てられて口部を有する本体と、前記口部に組み立てられる第１および第２移動形作動部を含み、そして前記第２作動部は受容部を密閉させる。
【発明を実施するための最良の形態】
【００１４】
以下、本発明の好ましい実施形態を添付図面を参照しつつ説明する。以下の説明で、同一な引用番号は各々の異なる図面で同一な要素に使用されて、同一な引用番号の重複説明は省略した。
【００１５】
図１は本発明の望ましい一つの実施例を示す図面として、本発明の受容装置１は、例えば飲み容器のような容器１００にスクリュー方式や、ワンタッチ方式または接着などの通常の方法に分離可能に結合される。前記受容装置１は容器１００で選択的に分離されることができる。
【００１６】
前記受容装置１は、開放された口部１１を有して容器１００の首部に結合される本体１０と、前記本体１０の口部１１に備えた開閉用蓋２０とからなる。
【００１７】
前記本体１０の内部には受容部３０が結合され、前記受容部３０の開閉孔３１を開閉するための第２作動部４０が本体１０の口部１１の内部に備えて貯蔵空間３２を通じて伸びている。
【００１８】
前記第２作動部４０には第１作動部５０を組み立て、使用時には、第１作動部５０が第２作動部４０を持ち上げる。蓋２０は第１作動部５０を持ち上げるように構成する。
【００１９】
前記受容部３０には、蓋２０が組み立てられない状態で第１作動部５０を通じて異種物質を充填することができる。
【００２０】
また、前記本体１０と口部１１は容器１００の適当な位置にスクリュー方式または他の結合方式に組み立てられる。
【００２１】
そして、蓋２０とそのスカートは、例えばキャラクターを差し込めるように、多様な形態に形成することができる。
【００２２】
前記受容部３０は熱や圧力に変化を受けない樹脂で形成するものが好ましい。密閉のために受容部３０の外環部に弾力的な環羽形の密閉部が形成され、その密閉部は受容部３０の体積に影響を与えないように最大に薄くすることが好ましい。
【００２３】
そして、受容部３０は垂直に組み立てられ、本体１０は回転運動により容器に結合される。このために、受容部３０の回転運動を妨げない為に、本体１０の掛かり部１２と受容部３０の間に選択的に間隔が存在する。
【００２４】
前記受容部３０の開閉孔３１を塞いでいる第２作動部４０の下方にはシリコン樹脂の密閉部４１が備えて密閉性を向上させる。
【００２５】
前記受容装置１を使用する為には、第１作動部５０が上方に移動した後、蓋２０を閉じると、第２作動部４０は口部１１で下降することなく止まる。
【００２６】
使用の為に、蓋２０を開放すると第１作動部５０が上方に移動し、これと同時に第２作動部４０が上方に移動しながら開閉孔３１が開き、貯蔵空間３２にあった異種物質は開閉孔３１を通じて落下されて容器１００の内部の基本物質と混合される。
【００２７】
そして、蓋２０をまた閉じると第１作動部５０のみに降りて第２作動部４０は下降しないようになって、開閉孔３１は開いている状態を維持する。
【００２８】
同時に、容器１００を振ると容器１００内の基本物質が貯蔵空間３２に移動して残っている異種物質までも容器１００内の基本物質と完璧に混合される。
【００２９】
そして、受容部３０の異種物質が容器の基本物質と混合された後、蓋２０を除去すると、基本物質と異種物質の混合物は第１作動部５０を通じて排出される。
【００３０】
図２に第二実施形態が示されている。この実施形態は、受容部３０に形成された少なくとも一つ以上の弾力片３３が第２作動部４０を上方に移動した位置に維持して、第２作動部４０が口部１１の内壁部上で上方に移動した後、また下方に移動することを防止する点で第一実施形態と異なる。
【００３１】
望ましくは、第１作動部５０によって上方に移動した後、第１作動部５０が下方に移動しようとしても、弾力片３３が第２作動部４０の下方密閉面を閉鎖しているので、第２作動部４０は本来の状態に帰ることができない。
【００３２】
図３に第三実施形態が示されており、第２作動部４０が第１作動部５０の連結台５１に組み立てられ、使用時に第１作動部５０により持ち上がった第２作動部４０は、弾力的な弾力片３３に掛かって開閉孔３１が開くようにする。
【００３３】
図４に第四実施形態が示されており、第１作動部５０を省略した例を示すもので、蓋２０に下向に形成された引出台２１が第１作動部５０の役割をするように構成したものである。
【００３４】
蓋２０を開く時は第１作動部５０を持ち上げ、蓋２０を閉じる時は第１作動部５０は下降せずに口部１１に止まっている。
【００３５】
使用者は飲用時に第１作動部５０から蓋２０が分離されて混合物を飲むことができる。
【００３６】
図５および図６に第五実施形態が示されており、第２作動部４０が口部１１の内壁部上で下方に降りて開閉孔３１が開くように構成した。
【００３７】
望ましくは、口部１１の内壁部に突起１３が形成され、第２作動部４０に長い作動溝４３が位置形成されて、第２作動部４０が回転しなくて上下移動するように構成した。前記突起１３と作動溝４３の形態は多様に変形できる。
【００３８】
第２作動部４０と蓋２０は、蓋２０の上方移動により第２作動部４０が下方に押されるように構成するとできる。
【００３９】
即ち、第２作動部４０の内壁部４２にねじ溝やねじ山が形成され、その対応される蓋２０の作動台２２にもねじ溝やねじ山を形成する。
【００４０】
使用時には、蓋２０を回転により開放すると、第２作動部４０が降りて受容部３０の下方の開閉孔を開いて(図６参照)、貯蔵空間３２の異種物質が空間４４を経由して容器内に落下されるものである。
【００４１】
図７および図８に第六実施形態が示されており、この実施形態は図６の実施形態と反対に作動するように構成されている。
【００４２】
即ち、蓋２０が開く過程に第２作動部４０が上方に移動しるように構成された。
【００４３】
図９に第七実施形態が示されており、第２作動部４０が一定の位置を超えて上方に移動しないように、口部１１の内壁部にストッパー１４が形成された。
【００４４】
図１２および図１３に第八実施形態が示されており、第２作動部４０が蓋２０と共に着脱されることができ、開閉孔３１には弾力的な密閉面３４が形成された。
【産業上の利用可能性】
【００４５】
上記に説明したように、本発明の受容装置は、容器内に受容された水、飲み物または他の液体と混合される濃縮液または顆粒の二つの異種物質の混合が容易、かつ便利になる。そして、医療、製薬、化粧品等の多様な産業分野で有効に用いられることができる。
【００４６】
特に、蓋を開放して再び閉ざすと、第２作動部が開閉孔の開いている位置に維持される。この時、容器を振ると容器内の基本物質が貯蔵空間に移動して貯蔵空間に残っている異種物質が基本物質に混合されることができる。
【００４７】
従って、使用者は本来に追求する希釈された飲み物の味感を安定的に味わうことができる。そして、使用者は作動部を通じて希釈された飲み物を容易に飲用できる。
【図面の簡単な説明】
【００４８】
【図１】本発明の第一実施形態による受容装置の縦断面図である。
【図２】本発明の第二実施形態による受容装置の縦断面図である。
【図３】本発明の第三実施形態による受容装置の縦断面図である。
【図４】本発明の第四実施形態による受容装置の縦断面図である。
【図５】本発明の第五実施形態による受容装置の縦断面図である。
【図６】図５の受容装置の要部の使用状態を示す縦断面図である。
【図７】本発明の第六実施形態による受容装置の縦断面図である。
【図８】図７の受容装置の要部の使用状態を示す縦断面図である。
【図９】本発明の第七実施形態による受容装置の縦断面図である。
【図１０】本発明の第八実施形態による受容装置の縦断面図である。
【図１１】図１０の受容装置の要部の使用状態を示す縦断面図である。
【図１】
2009533131.tif 000003
【図２】
2009533131.tif 000004
【図３】
2009533131.tif 000005
【図４】
2009533131.tif 000006
【図５】
2009533131.tif 000007
【図６】
2009533131.tif 000008
【図７】
2009533131.tif 000009
【図８】
2009533131.tif 000010
【図９】
2009533131.tif 000011
【図１０】
2009533131.tif 000012
【図１１】
2009533131.tif 000013
【国際調査報告】
2009533131.tif 000014
2009533131.tif 000015
2009533131.tif 000016
2009533131.tif 000017